(57)【特許請求の範囲】
【請求項１】
ディジタル式時刻表示部と、
２４時間を活動的な時間帯は短い時間間隔で区切る一方、非活動的な時間帯は上記時間間隔に比してより長い時間間隔で区切った各時刻に対応して、かつ全体的にＵターンする形状を有する一つの曲線に沿って配設された多数の発光部を有するとともに、予定項目の内容を表した図柄をこの予定項目に対応する時刻を示す発光部の近くにて表示可能とし、２４時間の開始時には上記発光部の全てが発光状態になり、時間経過とともに上記発光部の内の過ぎ去った時刻に対応する部分が順次非発光状態になってゆくアナログ式時刻表示部と、
予め所望の時刻に対応して設定可能で、その時刻に達したときにメッセージを発光表示して知らせる伝達部と
を備えたことを特徴とするタイマー時計。
【請求項２】
上記伝達部が、伝達音を発する伝達機能を有することを特徴とする請求項１に記載のタイマー時計。
【発明の詳細な説明】
【０００１】
【発明の属する技術分野】
本発明は、例えば、知的障害を抱えた人や痴呆症を患っている人が利用し易いタイマー時計に関するものである。
【０００２】
【従来の技術】
近年、知的障害を抱えた人や痴呆症を患っている人等を対象とした福祉用具が種々開発されている。出願人も、従来、知的障害を抱えた人が自立した生活ができるように手助けする補助機器として一切釦操作不要で携帯型のタイマー時計を市場に送り出してきた（例えば、非特許文献１参照。）。
【０００３】
【非特許文献１】
坂井聡著「自閉症や知的障害をもつ人とのコミュニケーションのための１０のアイデア」エンパワメント研究所出版、２００２年１１月４日、ｐ．４２−４４
【０００４】
このタイマー時計は、スケジュール毎に予め作成しておく複数の反射測光カードとこの反射測光カードの挿入により、上記スケジュールの内容を分かり易い絵、写真、文字等によって液晶表示部に表すとともに、上記スケジュールまで時間を時間表示部で点灯して知らせる時計本体とからなっている。さらに具体的に説明すると、上記時間表示部は、一列に並べて設けられた複数の、例えば８個の発光部を有し、上記スケジュールまでの時間が２時間を超え、余裕のある場合は、全ての発光部が点灯し、２時間をきると、１５分単位で順次点灯している発光部の数が砂時計のように減少してゆくようにして、目で見て分かり易くしたものである。
【０００５】
【発明が解決しようとする課題】
上述したタイマー時計は、誰にでも容易に使用できるものではあるが、反射測光カード毎に、一つのスケジュールに限られ、そのスケジュール開始迄の残り時間が分かるだけで、現在時刻も分からないという問題がある。
本発明は、斯かる従来の問題をなくすことを課題としてなされたもので、使い易く、かつ見易く、現在時刻の認識が容易で、時間スケジュールの管理が容易にできるタイマー時計を提供しようとするものである。
【０００６】
【課題を解決するための手段】
上記課題を解決するために、第１発明は、ディジタル式時刻表示部と、２４時間を活動的な時間帯は短い時間間隔で区切る一方、非活動的な時間帯は上記時間間隔に比してより長い時間間隔で区切った各時刻に対応して、かつ全体的にＵターンする形状を有する一つの曲線に沿って配設された多数の発光部を有するとともに、予定項目の内容を表した図柄をこの予定項目に対応する時刻を示す発光部の近くにて表示可能とし、２４時間の開始時には上記発光部の全てが発光状態になり、時間経過とともに上記発光部の内の過ぎ去った時刻に対応する部分が順次非発光状態になってゆくアナログ式時刻表示部と、予め所望の時刻に対応して設定可能で、その時刻に達したときにメッセージを発光表示して知らせる伝達部とを備えた構成とした。
【０００７】
第２発明は、第１発明の構成に加えて、上記伝達部が、伝達音を発する伝達機能を有する構成とした。
【０００８】
【発明の実施の形態】
次に、本発明の実施形態を図面にしたがって説明する。
図１及び２は、本発明の第１実施形態に係るタイマー時計１を示し、このタイマー時計１は、前面にディジタル式時刻表示部１１、アナログ式時刻表示部１２を有するとともに、裏面に設定用スイッチ部１３、ＤＣ電源入力コネクター１４及び電源スイッチ１５を備えている。さらに、図示していないが、内蔵スイッチにより時刻合わせが可能であり、設定時刻がきたら、その旨のメッセージを伝達するためのブザー音や音声等の伝達音を発するようにすることも可能に形成されている。
【０００９】
ディジタル式時刻表示部１１は、時、分それぞれ２桁で表示するように形成されている。
アナログ式時刻表示部１２は、０時から２４時までを小刻みに分割して、それぞれの時刻に対応させて一曲線に沿って配設された、例えば発光ダイオードを用いた多数の発光部２１を備えるとともに、時間帯に対応して複数ゾーンに分けられ、色分けされている。例えば、陽の明るさと感覚的に合うように、０時〜４時と２０時〜２４時の時間帯はブラックゾーン２２、４時〜６時と１８時〜２０時の時間帯はグレーゾーン２３、６時〜８時と１６時〜１８時の時間帯はイエローゾーン２４、８時〜１１時と１３時〜１６時の時間帯はオレンジゾーン２５、残りの時間帯はレッドゾーン２６に分けられている。また、発光部２１毎の時間間隔は、１日の内の一般的な活動パターンを考慮して、例えば、ブラックゾーン２２及びグレーゾーン２３では３０分刻み、その他のイエローゾーン２４、オレンジゾーン２５及びレッドゾーン２６では１５分刻みとしてある。なお、発光部２１のそれぞれは、複数種の色の発光が可能となっている。
さらに、このアナログ時刻表示部１２には、予定項目に対応する時刻、或いは時間帯に、その予定項目の内容を分かり易く表した、例えば図柄が示されたイラスト片２７の貼り付けが可能となっている。これに代えて、このような内容を液晶表示するようにしてもよい。
【００１０】
そして、０時の時刻で全ての発光部２１が発光した状態でスタートし、経過時間に対応する発光部２１の発光が順次消えてゆき、２４時間の内の残り時間が１本の線分の長さとなって感覚的に把握し易くなっている。なお、図１において、黒で塗りつぶされた発光部２１は非発光状態で、白抜きで示された発光部２１は発光状態にあることを示している。
【００１１】
設定スイッチ部１３は、予め作業開始時刻、終了時刻等、ど忘れしたり、気付かないまま経過してしまうと不都合が生じ、しっかりと管理し、認識しておく必要のある時刻の設定が押釦操作でできるように形成されている。そして、所定の時刻に達すると、発光体部２１の色が変化すると同時に伝達音が鳴る。例えば、ある作業の開始時刻に達すると、その作業が行われる時間長さ分だけ発光部２１の色が変化する。また、作業の終了時刻に達すると、さらにその旨のメッセージを伝える伝達音を発するようにしてもよい。
電源としては、内部に収容した電池が使用できる他、一般家庭用の交流電源も利用でき、これによる場合は、図示しないＡＣアダプターを用いることになる。そして、この電源は電源スイッチ１５によりオンオフされる。
【００１２】
【発明の効果】
以上の説明より明らかなように、第１発明によれば、ディジタル式時刻表示部と、２４時間を活動的な時間帯は短い時間間隔で区切る一方、非活動的な時間帯は上記時間間隔に比してより長い時間間隔で区切った各時刻に対応して、かつ全体的にＵターンする形状を有する一つの曲線に沿って配設された多数の発光部を有するとともに、予定項目の内容を表した図柄をこの予定項目に対応する時刻を示す発光部の近くにて表示可能とし、２４時間の開始時には上記発光部の全てが発光状態になり、時間経過とともに上記発光部の内の過ぎ去った時刻に対応する部分が順次非発光状態になってゆくアナログ式時刻表示部と、予め所望の時刻に対応して設定可能で、その時刻に達したときにメッセージを発光表示して知らせる伝達部とを備えた構成としてある。
このように、１日の２４時間が１本のメジャーとして捉えられ、時間経過とともに、このメジャーが短くなってゆき、１日の残り時間が視覚的に分かり易く把握でき、かつ予め定めた時間スケジュールに対応してメッセージが発せられる故、特に知的障害を抱えた人や痴呆症を患っている人等には、頭脳を働かせなくても、使い易く、かつ見易く、現在時刻の認識が容易で、時間スケジュールの管理が容易にできる等の効果を奏する。
【００１３】
第２発明によれば、第１発明の構成に加えて、上記伝達部が、伝達音を発する伝達機能を有する構成としてある。
このため、第１発明による効果に加えて、視覚に障害を有する人にも役立つようになるという効果を奏する。
【図面の簡単な説明】
【図１】本発明の第１実施形態に係るタイマー時計の正面側から見た斜視図である。
【図２】図１に示すタイマー時計の裏面側から見た斜視図である。
【符号の説明】
１  タイマー時計
１１  ディジタル式時刻表示部
１２  アナログ式時刻表示部
１３  設定用スイッチ部
１４  ＤＣ電源入力コネクター
１５  電源スイッチ
１６  発光表示パネル
１７  本体部
１８  角度調整板
２１  発光体
２２  ブラックゾーン
２３  グレーゾーン
２４  イエローゾーン
２５  オレンジゾーン
２６  レッドゾーン
２７  イラスト片
【図１】
0003626484.tif 000002
【図２】
0003626484.tif 000003